(57)【特許請求の範囲】
【請求項１】
多数の放電セルを含み、上部基板に走査／サスティン電極と共通サスティン電極とを有するプラズマディスプレイパネルにおいて、前記走査／サスティン電極と共通サスティン電極を覆うよう形成される第１誘電層と、前記走査／サスティン電極と共通サスティン電極との間の放電を誘導するために前記第１誘電層の上に配置されたフローティング電極対と、前記フローティング電極対を覆うよう第２誘電層及び保護膜とを具備し、
前記フローティング電極対の一部が前記走査／サスティン電極と共通サスティン電極と重なるように形成され、
前記フローティング電極対の各電極幅は前記走査／サスティン電極と共通サスティン電極の各電極幅より広く形成され、
前記フローティング電極対の各電極は放電セル毎に所定の大きさを有する一つ以上のホールを有し、
前記ホールは前記走査／サスティン電極と共通サスティン電極と重ならないように形成される
ことを特徴とするプラズマディスプレイパネル。
【請求項２】
前記フローティング電極対の電極間隔が前記走査／サスティン電極と共通サスティン電極の電極間隔より狭く形成されることを特徴とする請求項１記載のプラズマディスプレイパネル。
【請求項３】
放電によって画像を表示するための放電セルを含み、上部基板に走査／サスティン電極と共通サスティン電極とを有し、それらの電極を覆うように第１誘電層を形成させ、その第１誘電層の表面にフローティング電極対を設け、このフローティング電極対を覆うよう第２誘電層及び保護膜とを具備したプラズマディスプレイパネルの駆動方法であって、サステイン期間中に走査／サステイン電極と共通サステイン電極に交互に電圧を印加するとともに、その電圧印加によってフローティング電極対に電圧を誘起させて、フローティング電極対の間に補助放電を発生させ、前記補助放電を利用して前記走査／サスティン電極と共通サスティン電極との間にサステイン放電を発生させ、
前記フローティング電極対の一部が前記走査／サスティン電極と共通サスティン電極と重ねられるとともに、フローティング電極対の各電極の幅が前記走査／サスティン電極と共通サスティン電極の各電極幅より広く形成されて、前記走査／サスティン電極と共通サスティン電極に電荷が誘起され、
前記フローティング電極対の各電極が放電セル毎に所定大きさを有する一つ以上のホールを有するよう形成され、前記フローティング電極対の互いに向きあう端面に壁電荷が密集され、
前記ホールは前記走査／サスティン電極と共通サスティン電極と重ならないように形成される
ことを特徴とするプラズマディスプレイパネルの駆動方法。
【請求項４】
前記フローティング電極対の電極の間隔が前記走査／サスティン電極と共通サスティン電極の電極間隔より狭く形成され、前記フローティング電極対の初期放電が前記走査／サスティン電極と共通サスティン電極の放電より先に起きるようすることを特徴とする請求項３記載のプラズマディスプレイパネルの駆動方法。
【発明の詳細な説明】
【０００１】
【発明の属する技術分野】
本発明は高効率で動作することができるプラズマディスプレイパネル及びその駆動方法に関する。
【０００２】
【従来の技術】
プラズマディスプレイパネル（以下“ＰＤＰ”という）はＨｅ＋ＸｅまたはＮｅ＋Ｘｅガスの放電時に発生する１４７ｎｍの紫外線によって蛍光体を発光させることで文字またはグラフィックを含む画像を表示するようになっている。このようなＰＤＰは薄膜化と大型化が容易であるだけでなく最近の技術開発によって画質が大きく向上した。このようなＰＤＰは直流型と交流型に大別される。直流型のＰＤＰは前面基板と背面基板それぞれに形成された陽極と陰極の間で対向放電を起こすことで画像を表示している。これに対して、交流型ＰＤＰは誘電層を間に置いて配置された電極の間に交流電圧信号を印加し、その信号の半周期毎に放電させて画像を表示している。このような交流型ＰＤＰは、図１に示されたように３電極を備え、交流電圧によって駆動される３電極交流面放電型ＰＤＰが代表的である。
【０００３】
図１、図２を参照すると、３電極交流面放電型ＰＤＰの放電セルの電極は、上部基板（１０）には走査／サステイン電極（１２Ｙ）及び共通サステイン電極（１２Ｚ）を有し、下部基板（１８）にはアドレス電極（２０Ｘ）を具備する。走査／サステイン電極（１２Ｙ）と共通サステイン電極（１２Ｚ）が並んで形成された上部基板（１０）にはそれらを覆うように上部誘電層（１４）と保護膜（１６）が積層される。上部誘電層（１４）にはプラズマ放電際に発生された壁電荷が蓄積される。保護膜（１６）は、プラズマ放電際に発生したスパッタリングによる上部誘電層（１４）の損傷を防止するとともに、二次電子の放出効率を高める効果がある。保護膜（１６）としては通常酸化マグネシウム（ＭｇＯ）が利用される。アドレス電極（２０Ｘ）が形成された下部基板（１８）上には下部誘電層（２２）、隔壁（２４）が形成され、下部誘電層（２２）と隔壁（２４）表面には蛍光体（２６）が塗布される。アドレス電極（２０Ｘ）は走査／サステイン電極（１２Ｙ）及び共通サステイン電極（１２Ｚ）と交差される方向に形成される。隔壁（２４）はアドレス電極（２０Ｘ）と並んで形成され、放電によって生成された紫外線及び可視光が隣接した放電セルに漏洩するのを防いでいる。蛍光体（２６）はプラズマ放電時発生した紫外線により励起され、赤色、緑色または青色の中のいずれ一つの可視光線を発生する。上／下の基板と隔壁の間に設けられた放電空間にはガス放電のための不活性ガスが注入される。
【０００４】
このような放電セルは図３に示されたようマトリックス形態で配置される。図３で放電セル（１）は走査／サステイン電極ライン（Ｙ１〜Ｙｍ）、共通サステイン電極ライン（Ｚ１〜Ｚｍ）及びアドレス電極ライン（Ｘ１〜Ｘｎ）の交差部に設けられる。走査／サステイン電極ライン（Ｙ１〜Ｙｍ）は順次ラインごとに駆動され、共通サステイン電極ライン（Ｚ１〜Ｚｍ）は共通に駆動される。アドレス電極ライン（Ｘ１〜Ｘｎ）は奇数番目ラインと偶数番目ラインに分割されて駆動される。いうまでもなく、アドレスラインはデータラインでもある。
【０００５】
このような３電極交流面放電型ＰＤＰは、走査／サステイン電極（１２Ｙ）と共通サステイン電極（１２Ｚ）間でサステイン放電を生じさせて発光することになるが、そのサステイン放電が放電セルの中央部のみに起きるため、放電セルの空間を充分に活用できなかった。これにより、放電セルの輝度が低くなり、発光効率が低下するという問題点があった。このような問題点を解決する案として、サステイン放電を起こす走査／サステイン電極（１２Ｙ）と共通サステイン電極（１２Ｚ）を放電セルの両側の境界部に設置したり、放電電極の幅を広くしている。しかし走査／サステイン電極（１２Ｙ）と共通サステイン電極（１２Ｚ）の間隔が遠くなると放電電圧が高くなり、また、放電電極の幅を広くすると放電電流が増加してともに電力消耗量が多くなるという短所がある。
【０００６】
【発明が解決しようとする課題】
従って、本発明の目的は高効率を実現できるプラズマディスプレイパネル及びその駆動方法を提供しようとするものである。
【０００７】
【課題を解決するための手段】
前記目的を達成するために、本発明によるプラズマディスプレイパネルは多数の放電セルを含む多数の走査ラインとできたプラズマディスプレイパネルにおいて、前記放電セルのそれぞれに含まれた走査／サスティン電極と共通サスティン電極及びアドレス電極と、前記走査／サスティン電極と共通サスティン電極を覆うよう形成される第１誘電層と、前記走査／サスティン電極と共通サスティン電極の放電を誘導するために前記第１誘電層の上に前記走査／サスティン電極と共通サスティン電極と並んで形成されるフローティング電極対と、前記フローティング電極対を覆うよう第２誘電層及び保護膜とを具備する。
【０００８】
本発明によるプラズマディスプレイパネルの駆動方法は放電によって画像を表示する放電セルを含んで任意の走査順序で走査される多数の走査ラインとを具備するプラズマディスプレイパネルの駆動方法において、サステイン期間で前記走査ラインの内、２走査ライン毎に順次的に電圧が印加されるとともに前記２走査ラインの間にフローティング電極対に前記電圧が有機され前記フローティング電極対の間に補助放電を発生し、前記補助放電を利用して前記２走査ラインで順次的にサステイン放電を発生することを特徴とする。
【０００９】
【作用】
本発明によるＰＤＰは放電セル内で３電極を利用してサステイン放電を起こして一つのサステインパルス当たり放電回数を従来に比べて二倍に増加させることとともに長距離放電及び発光面積の拡大を通して高効率、高輝度の実現が可能になる。
【００１０】
【発明の実施の形態】
以下、図４〜図６を参照してして本発明の好ましい実施形態に対して説明することにする。
図４は本発明によるプラズマディスプレイパネルを図示した平面図であり、図５は図４でＡ−Ａ’線で切断したプラズマディスプレイパネルの上部基板の断面図である。また、図６は図４でＢ−Ｂ’線に切断したプラズマディスプレイパネルの上部基板の断面図である。
【００１１】
以下図４、図５及び図６を参照する。先ず本発明によるプラズマディスプレイパネルの上部基板（１）はその一面に走査／サステイン電極（３０Ｙ）及び共通サステイン電極（３０Ｚ）が互いに平行に配置されている。それらの電極が形成された基板上に第１誘電層（３５）が積層され、その表面に第１及び第２フローティング電極（３３，３４）が走査／サステイン電極（３０Ｙ）及び共通サステイン電極（３０Ｚ）にそれぞれが一部重なるように配置されている。その第１フローティング（３３）及び第２フローティング電極（３４）が形成された基板上にそれらを覆うように第２誘電層（３６）と保護膜（３７）が順次積層される。第１フローティング（３３）は一部重なって走査／サステイン電極（３０Ｙ）と平行に延びるととともに、隔壁（３２）の間毎にホール（５０）が形成されている。第２フローティング電極（３４）は一部重なって共通サステイン電極（３０Ｚ）と平行に配置されるとともに、同様に隔壁（３２）の間毎にホール（５０）が形成されている。これらのホールはセル毎に一つでもいいが、１セルに複数のホールを形成させても良い。本実施形態の双方のフローティング（３３、３４）は、走査／サステイン電極（３０Ｙ）と共通サステイン電極（３０Ｚ）より広い幅とし、セルの両端部では双方とも縁部分がそれぞれ揃えられている。したがって、第１フローティング（３３）と第２フローティング電極（３４）の間の間隔は走査／サステイン電極（３０Ｙ）と共通サステイン電極（３０Ｚ）の間の間隔に比べて狭くなっている。また、それぞれのホール（５０）はフローティング電極の重なっていない箇所に設けられている。双方のフローティング電極は、補助電極となるものであって、本実施形態ではそれらが、サスティン電極対と一部重ねられているが、重ねることは絶対的要件ではない。要するに、サスティン電極対の間隔を広くとって、補助電極の間隔を狭くすればよい。
【００１２】
走査／サステイン電極（３０Ｙ）と共通サステイン電極（３０Ｚ）は可視光の透過のために透明電極物質（例えば、ＩＴＯ）で形成された透明電極と、透明電極の抵抗成分を低くするために金属物質でできたバス電極と、透明電極とバス電極を電気的に接続させるためのパッド電極とで構成されている。これらの電極構造それ自体は従来からの一般的な構造であるので、それらの詳細は図示せず、単なる矩形断面としてだけ示してある。この走査／サステイン電極（３０Ｙ）と共通サステイン電極（３０Ｚ）の間はロングパス放電を生じさせるため、その間の間隔を相当に広くとっている。一方、第１フローティング（３３）と第２フローティング電極（３４）の間は相当に狭くしている。これにより、走査／サステイン電極（３０Ｙ）と共通サステイン電極（３０Ｚ）に電圧が印加されたとき、第１フローティング（３３）と第２フローティング電極（３４）に電圧が誘起され、低い電圧でも第１フローティング（３３）及び第２フローティング電極（３４）の間で初期放電が誘導される。この初期放電の効果により低い電圧を印加しても走査／サステイン電極（３０Ｙ）と共通サステイン電極（３０Ｚ）の間に放電が誘導される。この電極対での放電は間隔が広いのでロングパス放電となるので、発光効率を高めることができる。
【００１３】
また、図４及び図５に示されたように、第１フローティング（３３）と第２フローティング電極（３４）には放電セル毎に所定の大きさの一つ以上のホール（５０）が形成されるとともに、第１フローティング（３３）及び第２フローティング電極（３４）の電極幅はサステイン電極対（３０Ｙ、３０Ｚ）の電極の幅より広く形成される。これはサステイン電極対（３０Ｙ、３０Ｚ）により多くの電荷を誘起させるとともに、第１フローティング（３３）と第２フローティング電極（３４）が互いに対向する側面、すなわち端面に多くの壁電荷が集中されるようにし、初期放電効果を極大化するためである。第１フローティング電極（３３）と第２フローティング電極（３４）は、上記のように放電セル毎にホール（５０）を備えているが、これはそれぞれのフローティング電極をホールから内側すなわち互いに向き合っている側の電極幅を狭くし、反対側すなわちサスティン電極対と向き合っている側の電極幅を広くし、双方のフローティング電極対に初期放電が生じた後、その初期放電によって生じた壁電荷が幅の広い側、すなわちサスティン電極に向き合っている側に密に集まり、サスティン電極対（３０Ｙ、３０Ｚ）に誘起される電荷をより多くするためである。その結果として、本実施形態によれば、走査／サステイン電極（３０Ｙ）と共通サステイン電極（３０Ｚ）に印加される電圧を低くすることができる。したがって、消費電力を小さくすることができる。第２誘電層（３６）は、フローティング電極対（３３、３４）を保護するとともに、プラズマ放電の際に発生した壁電荷を蓄積するためにフローティング電極対（３３、３４）を覆うよう形成されている。保護膜（３７）はプラズマ放電の際に発生したスパッタリングによる第２誘電層（３６）の損傷を防止するとともに二次電子の放出効率を高めるのは従来同様である。保護膜（３７）としては通常酸化マグネシウム（ＭｇＯ）が利用される。
【００１４】
【発明の効果】
上述したように、本発明によるプラズマディスプレイパネルは、走査／サステイン電極と共通サステイン電極の間に二つの補助電極を形成することで、走査／サステイン電極と共通サステイン電極に電圧を印加する際、二つの補助電極に電圧を誘起させ、この二つの補助電極の間で初期放電を誘導させ、それによって大きい離隔距離を置いて形成された走査／サステイン電極と共通サステイン電極の間にロングパスの放電を誘導させるようにしたものである。従って、ロングパス放電が低い電圧で誘導されるので、高効率の放電を形成することができる。
【００１５】
以上説明した内容を通して当業者であれば本発明の技術思想を逸脱しない範囲で多様な変更及び修正が可能であることが分かるであろう。従って、本発明の技術的な範囲は明細書の詳細な説明に記載された内容に限らず特許請求の範囲によって定めなければならない。
【図面の簡単な説明】
【図１】  従来の３電極交流面放電のプラズマディスプレイのパネルの放電セル構造を示した写視図である。
【図２】  図１に示された放電セルを含むプラズマディスプレイのパネルの平面図である。
【図３】  図１に示された放電セルを含むプラズマディスプレイのパネルの全体的な電極配置図である。
【図４】  本発明によるプラズマディスプレイのパネルの平面図である。
【図５】  図４でＡ−Ａ’線に切断したプラズマディスプレイパネルの上部基板を示した断面図である。
【図６】  図４でＢ−Ｂ’線に切断したプラズマディスプレイパネルの上部基板を図示した断面図である。
【符号の説明】
１、１０：上部基板
１２Ｙ、３０Ｙ：走査／サステイン電極
１２Ｚ、３０Ｚ：共通サステイン電極
３２：隔壁
３３：第１フローティング
３４：第２フローティング
３５：第１誘電層
３６：第２誘電層
３７：保護膜
【図１】
0003641240.tif 000002
【図２】
0003641240.tif 000003
【図３】
0003641240.tif 000004
【図４】
0003641240.tif 000005
【図５】
0003641240.tif 000006
【図６】
0003641240.tif 000007